(57)【要約】【課題】表示画面の仰角のずれやスピーカの発音部の傾き等の微細な調節を可能とした電子機器の角度調整機構を提供する。【解決手段】前面に表示部を有する１２表示部本体と、表示部本体１２が搭載される台座１３と、表示部本体１２及び台座１３の、互いの前部又は後部を回動自在に連結するヒンジ機構１６と、表示部本体１２及び台座１３の、ヒンジ機構１６と反対側の後部又は前部を接近及び離反させる昇降機構と、を備えて構成される。【選択図】      図１
2004304736.tif 000002
【特許請求の範囲】
【請求項１】
前面に表示部を有する表示部本体と、
上記表示部本体が搭載される台座と、
上記表示部本体及び上記台座の、互いの前部又は後部を回動自在に連結する連結手段と、
上記表示部本体及び上記台座の、上記連結手段と反対側の後部又は前部を接近及び離反させる昇降機構と、
を備えてなることを特徴とする電子機器の角度調整機構。
【請求項２】
上記昇降機構は、上記台座又は上記表示部本体に支持された送りねじ軸と、上記送りねじ軸に螺合された送りナットと、上記送りナットと上記表示部本体又は上記台座とに回動自在に連結された連結部材と、上記送りねじ軸を回転させる回転手段と、を有することを特徴とする請求項１記載の電子機器の角度調整機構。
【請求項３】
上記回転手段は、上記送りねじ軸の軸心線上に設けた当該送りねじ軸を回転させるためのハンドルであることを特徴とする請求項２記載の電子機器の角度調整機構。
【請求項４】
上記回転手段は、上記送りねじ軸の軸心線と直交する方向に軸心線が設定されたハンドルと、当該ハンドルの回転を９０度方向変換させて上記送りねじ軸に伝達する方向変換手段と、を有することを特徴とする請求項２記載の電子機器の角度調整機構。
【請求項５】
上記方向変換手段は、上記送りねじ軸に固定された第１の傘歯車と、上記ハンドルに固定された第２の傘歯車からなる歯車機構であることを特徴とする請求項４記載の電子機器の角度調整機構。
【発明の詳細な説明】
【０００１】
【発明の属する技術分野】
本発明は、テレビジョン（ＴＶ）やモニタディスプレイ等の電子機器の表示部や発音部等の角度調整を行う電子機器の角度調整機構に関するものである。
【０００２】
【従来の技術】
従来、一般に、ＴＶやモニタディスプレイ等の電子機器の表示画面は、見る人の目線の高さ、視角度等に応じて見易い位置に表示部本体の傾きを調節して固定することが行われている。
【０００３】
従来の、この種の電子機器の角度調整機構としては、例えば、図３に示すようなものが知られている（従来の第１の例）。この角度調整機構Ａは、ヒンジ機構を用いたものである。台座１の上面の前部にヒンジ３の一方の連結片３ａが固定され、他方の連結片３ｂが表示部本体２の下面の前部に固定されている。ヒンジ３は、回動軸３ｃに装着された筒状のバネ材４ａを有し、このバネ材４ａとヒンジ３との間に生じる摩擦力によって表示部本体２の重量を支え、表示画面を所定の位置に固定するようにしている。この角度調整機構Ａは、主に、液晶ＴＶや液晶ディスプレイ等に用いられている。
【０００４】
また、従来の角度調整機構の第２の例として、例えば、図４に示すようなものがある。この角度調整機構Ｂは、円弧形のスライド部を表示部本体２に設けたものである。表示部本体２の下面には下方に突出する円弧形の摺動部５が設けられている。この摺動部５に対応して台座１には、摺動部５が係合される円弧溝６が設けられ、この円弧溝６内にバネ材４ｂが介在されている。
【０００５】
バネ材４ｂは．波状に形成された短冊状の板バネからなり、摺動部５と円弧溝６との間に摩擦力を生じさせて表示部本体２の重量を支え、表示画面を所定の位置に固定するようにしている。この角度調整機構Ｂは、主に、ＣＲＴディスプレイ等に用いられている。
【０００６】
更に、従来の角度調整機構の第３の例として、例えば、図５に示すようなものもある。この角度調整機構Ｃは、バネで表示部本体の重量をキャンセルして仰角を維持するようにしたものである。台座１には立ち上げ部１ａが設けられ、この立ち上げ部１ａの上部に連結アーム７の下端が枢軸８ａによって回動自在に連結されている。連結アーム７の上端は、枢軸８ｂによって表示部本体２の背面に回動自在に連結されている。
【０００７】
各枢軸８ａ，８ｂには環状に形成された座金のようなバネ材９がそれぞれ装着されている。このバネ材９のバネ力によって立ち上げ部１ａと連結アーム７との間、及び連結アーム７と表示部本体２との間にそれぞれ摩擦力を生じさせて表示部本体の重量を支えると共に、フック等の係止手段で固定して仰角を所定角度に維持するようにしている。この角度調整機構Ｃは、主に、ＴＶ等に用いられている。
【０００８】
【特許文献１】
特開平−８−２３４９５（第２頁、図１）
【特許文献２】
特開２００２−７３２１３（第２頁、図９）
【０００９】
【発明が解決しようとする課題】
しかしながら、上述したような従来の電子機器の角度調整機構においては、第１の従来例の場合には、軸部の摩擦によって表示画面の仰角のずれを防いでいるが、この摩擦力のために動作が硬くなり、仰角の微調整がし難いという課題があった。この際、動作を軽くすると、摩擦力が不十分となり、仰角がずれる可能性がある。更に、摩擦部の磨耗等によって摩擦力が弱くなり、経時変化によって仰角がずれる可能性がある。
【００１０】
また、上述した第２の従来例の場合には、摺動中心を表示分本体に近付けることが可能であるが、重心から大きく外れた場合には、表示部本体の自重によって仰角が自然にずれる可能性があるという課題があった。更に、仰角のずれを摺動部の摩擦力により防ぐことができるが、他面、摩擦力のために摺動動作が固くなり、微調整がし難くなる。一方、摺動動作を軽くすると摩擦力が不十分となり、仰角がずれる可能性がある。また、表示部本体の重量が摩擦力を生み出す要素となっており、表示部本体重量の大小が摺動動作に大きく左右する。
【００１１】
更に、上述した第３の従来例の場合には、座椅子の角度調整機構と同様に、仰角の固定をフック等の係止手段で行う方法であるため、連続的に仰角を調整することができないという課題があった。
【００１２】
本発明は、このような従来の課題に鑑みてなされたものであり、表示画面の仰角のずれやスピーカの発音部の傾き等の微細な調節を可能とした電子機器の角度調整機構を提供することを目的としている。
【００１３】
【課題を解決するための手段】
上述したような課題を解決し、上記目的を達成するため、本出願の請求項１記載の電子機器の角度調整機構は、前面に表示部を有する表示部本体と、表示部本体が搭載される台座と、表示部本体及び台座の、互いの前部又は後部を回動自在に連結する連結手段と、表示部本体及び台座の、連結手段と反対側の後部又は前部を接近及び離反させる昇降機構と、を備えてなることを特徴としている。
【００１４】
かかる本出願の請求項１記載の電子機器の角度調整機構によれば、昇降機構を動作させることにより、連結手段を回動中心として台座に対して表示部本体を回動動作させ、表示部本体の仰角を微調整することができる。
【００１５】
本出願の請求項２記載の電子機器の角度調整機構は、昇降機構は、台座又は表示部本体に支持された送りねじ軸と、送りねじ軸に螺合された送りナットと、送りナットと表示部本体又は台座とに回動自在に連結された連結部材と、送りねじ軸を回転させる回転手段と、を有することを特徴としている。
【００１６】
かかる本出願の請求項２記載の電子機器の角度調整機構によれば、回転手段で送りねじ軸を回転させることにより、送りナットを送りねじ軸の軸方向に移動させて連結部材の姿勢を変化させ、もって表示部本体の仰角を連続して容易に変化させることができると共に、仰角の微調整を行うことができる。
【００１７】
本出願の請求項３記載の電子機器の角度調整機構は、回転手段は、送りねじ軸の軸心線上に設けた送りねじ軸を回転させるためのハンドルであることを特徴としている。
【００１８】
かかる本出願の請求項３記載の電子機器の角度調整機構によれば、ハンドルを回すことによって送りねじ軸を極めて簡単に回転させることができる。しかも、送りねじ軸を回転させるハンドルの位置を送りねじ軸の軸心線上に設けることにより、電子機器の横幅を増やすことなく設置できる。
【００１９】
本出願の請求項４記載の電子機器の角度調整機構は、送りねじ軸の軸心線と直交する方向に軸心線が設定されたハンドルと、ハンドルの回転を９０度方向変換させて送りねじ軸に伝達する方向変換手段と、を有することを特徴としている。
【００２０】
かかる本出願の請求項４記載の電子機器の角度調整機構によれば、送りねじ軸を回転させるハンドルの位置を送りねじ軸の軸方向と直交する方向に設けることにより、表示画面を見ながら手元でハンドル操作ができ、仰角の調整操作に便利である。
【００２１】
本出願の請求項５記載の電子機器の角度調整機構は、方向変換手段は、送りねじ軸に固定された第１の傘歯車と、ハンドルに固定された第２の傘歯車からなる歯車機構であることを特徴としている。
【００２２】
斯かる本出願の請求項５記載の電子機器の角度調整機構によれば、２個の傘歯車を用いるだけで動力の伝達方向を９０度変換することができる。
【００２３】
【発明の実施の形態】
以下、本発明の実施の形態を添付図面を参照して説明する。図１は本発明の一実施の形態を示す角度調整機構を備えた電子機器の概略構成図、図２は、本発明の角度調整機構の第２の実施例を示す電子機器の概略構成図である。
【００２４】
図１に示すディスプレー装置１１は、電子機器の第１の実施例を示すもので、表示部本体１２と台座１３を備えて構成されている。表示部本体１２は、円錐台状に形成された表示部ケース１４と、この表示部ケース１４の広幅側にセットされたディスプレー１５等から構成されている。この表示部本体１２の下面の前部には表示部側ヒンジ１７が形成されている。
【００２５】
台座１３は、ある程度の厚みを有する平板状の部材からなり、前部の上面には台座側ヒンジ１８が形成されている。この台座側ヒンジ１８と表示部側ヒンジ１７とによって、表示部本体１２と台座１３を、相対的に回動自在に連結するヒンジ機構１６が構成されている。台座１３の後部には、上下方向に貫通すると共に前後方向に延在された開口穴２０が設けられている。
【００２６】
この開口穴２０内には送りねじ軸２１が挿通され、その送りねじ軸２１の前端は前側軸受２２により、また後部は後側軸受２３によって回転自在に支持されている。前側軸受２２は、台座１３の開口穴２０の前縁に嵌合保持され、また、後側軸受２３は、台座１３の開口穴２０の後縁に嵌合保持されている。更に、送りねじ軸２１の後端は台座１３を貫通して後方に突出されており、その突出端には、回転手段の一具体例を示すハンドル２４が固定されている。
【００２７】
送りねじ軸２１は、丸棒の外周面にねじを刻設したもので、そのねじ山の形状は、三角形は勿論のこと、台形、角形、円形その他各種の形状のものを適用することができる。また、ねじの条数は、通常、１条であるが、２条ねじ、３条ねじ等であってもよい。更に、右ねじであっても良く、また、左ねじであってもよい。
【００２８】
この送りねじ軸２１には、これに対応した構造を有する送りナット２５が、軸方向へ移動自在に螺合されている。送りナット２５には、連結部材２６の下端が軸ピン２７によって回動自在に連結されている。この連結部材２６の上端は、軸ピン２８によって表示部本体１２の下面に回動自在に連結されている。
【００２９】
連結部材２６の長さは、図１に示すように、送りナット２５が送りねじ軸２１の軸方向の略中央部に位置するときに、ディスプレイ１５の面が略垂直となるように設定することが好ましい。この場合には、表示部本体１２の仰角を、その上下方向において略同様の角度に設定することができる。しかしながら、本発明は、これに限定されるものではなく、一方により大きく傾斜するように構成することができる。
【００３０】
このような構成を有する電子機器によれば、次のようにして表示部本体１２の仰角を簡単に、しかも無段階に調整することができる。
まず、ハンドル２４を手動（電動でもよい。）で回転操作すると、ねじ切りされた送りねじ軸２１が同方向に回転される。この場合、送りねじ軸２１の両端が軸受２２，２３によって回転自在に支持されているため、送りねじ軸２１がその場で回転することから、これに螺合された送りナット５が、送りねじ軸２１の回転方向に応じて前側又は後側に移動する。
【００３１】
その結果、例えば、送りナット５が前側（図１において左側）に移動すると、連結部材２６の長さが不変であるため、上側の軸ピン２８が台座１３側に引き寄せられる。これにより、表示部本体１２の後部が引き下げられるため、前側の表示画面が上向きに変更される。
【００３２】
次に、ハンドル２４を逆方向に回転させると、送りナット２６が送りねじ軸２１に沿って後方（図１において右側）に移動する。これにより、連結部材２６が徐々に立ち上げられ、上側の軸ピン２８が台座１３から離れる方向に移動する。その結果、表示部本体１２の後部が持ち上げられるため、前側の表示画面が下向きに変更される。
【００３３】
このように、本実施例によれば、ハンドル２４を回転操作するだけで、表示部本体１２の仰角を簡単に、且つ連続して調整することができる。しかも、仰角の微細な調整も可能であり、従来の装置では困難であった仰角の微調整を精度良く簡単に行うことができる。
【００３４】
次に、本発明の電子機器の角度調整機構の第２の実施例を、図２を参照して説明する。図２に示すディスプレー装置３１は、図１に示すディスプレー装置１１の変形実施例であって、ハンドル２４を送りねじ軸２１の軸心線と直交する方向に配置したものである。図２において、図１と同一部分には同一の符号を付して、その説明を省略する。
【００３５】
送りねじ軸２１の後端部には第１の傘歯車３２が回転方向に一体に固定されている。この第１の傘歯車３２には第２の傘歯車３３が噛み合わされている。第２の傘歯車３３の回転軸３４は、送りねじ軸２１の軸心線方向と直角に交差する方向に延在されていて、台座１３に固定された第３の軸受３５によって回転自在に支持されている。そして、回転軸３４の、台座１３から側方に突出された突出部にハンドル２４が固定されている。
【００３６】
次に、この実施例の作用について説明する。ハンドル２４を右回転又は左回転させると、その回転方向に応じて第２の傘歯車３３から第１の傘歯車３２に回転力が伝達される。これにより、上述した第１の実施例と同様に、送りねじ軸２１及び送りナット２５の作用を介して、連結部材２６の姿勢が変化し、立ち上げられたり、立ち下げられたりする。その結果、表示部本体１２の表示画面が上向きとなったり、又は下向きとなって、所望の仰角を得ることができる。
【００３７】
この第２の実施例によれば、送りねじ軸２１を回転させるハンドル２４の位置を２個の傘歯車３２，３３を用いて送りねじ軸２１の軸方向と直交する方向に設定することができる。そのため、表示画面を見ながら手元でハンドル操作を行うことができ、所望の角度に設定することが容易になる。
【００３８】
尚、本発明は、図１及び図２に示す実施例の他に、その応用例又は変形例として、以下のような実施が可能である。
その１は、連結手段と昇降機構の位置を前後で逆に配置することができる。即ち、連結部材２６を台座１３等の後部に配置し、昇降機構を台座１３等の前部に配置するようにする。この場合、送りねじ軸２１に固定されるハンドル２４の位置が表示画面の前側に位置することになるので、操作者は手元でハンドル２４を操作しながら表示画面の仰角調整が可能となり、表示画面を目と直角に保つようにする仰角の微調整を容易に行うことができる。
【００３９】
その２は、送りねじ軸を表示部本体１２側に配置し、連結部材２６の一端を台座１３に回動自在に連結するように構成する。この場合には、表示部ケース１４の内部に送りねじ軸２１等を収納することが可能となる。更に、台座１３を小さくしたり、薄くできるので場所を取らずに設置することができる。
【００４０】
その３は、ハンドル２４の操作によって断接されるクラッチ機構を設け、必要時にのみクラッチを接続されてハンドルの回転力を伝達可能な構造とすることができる。また、その４は、送りねじ軸２１に直接又は間接にモータを接続し、このモータを駆動制御して送りねじ軸２１の駆動制御、回転速度等を調整することもできる。
【００４１】
尚、上記実施例においては、表示装置の表示画面の角度を調整する例について説明したが、本発明はこれに限定されるものではなく、例えば、スピーカ装置の発音部の角度等を調整することにも適用可能なものである。
【００４２】
【発明の効果】
以上説明したように、本出願の請求項１記載の電子機器の角度調整装置によれば、昇降機構を動作させることにより、連結手段を回動中心として台座に対して表示部本体を回動動作させ、表示部本体の仰角を微調整することができるという効果が得られる。
【００４３】
本出願の請求項２記載の電子機器の角度調整装置によれば、回転手段で送りねじ軸を回転させることにより、送りナットを送りねじ軸の軸方向に移動させて連結部材の姿勢を変化させ、もって表示部本体の仰角を連続して容易に変化させることができると共に、仰角の微調整を行うことができるという効果が得られる。
【００４４】
本出願の請求項３記載の電子機器の角度調整装置によれば、ハンドルを回すことによって送りねじ軸を極めて簡単に回転させることができる。しかも、送りねじ軸を回転させるハンドルの位置を送りねじ軸の軸心線上に設けることにより、電子機器の横幅を増やすことなく設置できるという効果が得られる。
【００４５】
本出願の請求項４記載の電子機器の角度調整装置によれば、送りねじ軸を回転させるハンドルの位置を送りねじ軸の軸方向と直交する方向に設けることにより、表示画面を見ながら手元でハンドル操作ができ、仰角の調整操作に便利であるという効果が得られる。
【００４６】
本出願の請求項５記載の電子機器の角度調整装置によれば、２個の傘歯車を用いるだけで動力の伝達方向を９０度変換することができるという効果が得られる。
【図面の簡単な説明】
【図１】本発明の電子機器の角度調整機構の第１の実施例を示す概略構成図である。
【図２】本発明の電子機器の角度調整機構の第２の実施例を示す概略構成図である。
【図３】従来の電子機器の角度調整機構の第１の例を示す説明図である。
【図４】従来の電子機器の角度調整機構の第２の例を示す説明図である。
【図５】従来の電子機器の角度調整機構の第３の例を示す説明図である。
【符号の説明】
１１‥‥ディスプレイ装置（電子機器）、１２‥‥表示部本体、１３‥‥台座、１６‥‥ヒンジ機構、２０‥‥開口部、２１‥‥送りねじ軸、２２，２３，３５‥‥軸受、２４‥‥ハンドル、２５‥‥送りナット、２６‥‥連結部材、２７，２８‥‥軸ピン、３２，３３‥‥傘歯車
【図１】
2004304736.tif 000003
【図２】
2004304736.tif 000004
【図３】
2004304736.tif 000005
【図４】
2004304736.tif 000006
【図５】
2004304736.tif 000007